(57)【要約】  【課題】複数の種類の電子マネーが利用可能な自動販売機において、誤動作を防止し、かつ、オペレーターが異常状態を発見しやすくする。  【解決手段】複数の種類の電子マネーが利用可能な自動販売機において、演算制御部６ａは、電子マネー動作設定手段１における電子マネーの個別設定と、電子マネー読み書き手段２から送信されてくるデータを電子マネー動作検知手段３にて受信しそれらを比較して、その動作設定が異なる場合、受付可送信判定手段４にて判定し、受付可を送信せず、電子マネーの利用を不可として誤動作を防止することができ、また、異常状態を容易に認識できるようにすることができる。【選択図】図１
2010092136.tif 000002
【特許請求の範囲】
【請求項１】
商品を複数の電子マネーを使って購入可能な自動販売機において、電子マネーの利用を個別に実施するかどうかを設定できる電子マネー動作設定手段と、各電子マネーのデータを読み書き可能な電子マネー読み書き手段と、前記電子マネー読み書き手段における各電子マネーの利用可否を検知することができる電子マネー動作検知手段と、前記電子マネー読み書き手段に受付可能データを送信して電子マネーの利用を開始するかどうかを判定する受付可送信判定手段とに接続された演算制御部とからなり、前記演算制御部は、前記電子マネー動作設定手段における電子マネーの個別設定と、前記電子マネー読み書き手段から送信されてくるデータを前記電子マネー動作検知手段にて受信し、前記受付可送信判定手段にてそれらを比較して、その動作設定が異なる場合、受付可を送信せず、電子マネーの利用を不可として誤動作を防止することを特徴とした自動販売機の制御装置。
【請求項２】
デジタルやランプなどの表示を行う表示手段を備え、前記演算制御部は、前記受付可送信判定手段で受付可を送信せず電子マネー利用を不可とした場合に、前記表示手段にてユーザーに異常を知らせることを特徴とした請求項１に記載の自動販売機の制御装置。
【請求項３】
ブザーや音声を発生させることができる音声発生手段を備え、前記演算制御部は、前記受付可送信判定手段で受付可を送信せず電子マネー利用を不可とした場合に、前記音声発生手段にて音声を発生させて、ユーザーに異常を知らせることを特徴とした請求項１または２に記載の自動販売機の制御装置。
【請求項４】
ユーザーが利用したい電子マネーを選択することができるマネー選択手段と、前記マネー選択手段の動作を停止することができるマネー選択ボタン停止手段とを備え、前記演算制御部は、前記受付可送信判定手段で受付可を送信せず電子マネー利用を不可とした場合に、前記マネー選択ボタン停止手段にて、マネー選択を不可とすることで異常状態をユーザーに知らせることを特徴とした請求項１から３のいずれか一項に記載の自動販売機の制御装置。
【請求項５】
待機状態でユーザーが電子マネーでの商品購入のために選択ボタンを押す先選択を停止させることができる先選択停止手段を備え、前記演算制御部は、前記受付可送信判定手段で受付可を送信せず電子マネー利用を不可とした場合に、前記先選択停止手段にて、先選択を停止して異常状態をユーザーに知らせることを特徴とした請求項１から４のいずれか一項に記載の自動販売機の制御装置。
【発明の詳細な説明】
【技術分野】
【０００１】
本発明は、携帯情報端末が利用可能な自動販売機における制御装置に関するものである。
【背景技術】
【０００２】
従来の自動販売機における制御装置には、携帯情報端末などの電子情報を自動販売機に設けた携帯情報端末識別手段に送信し、自動販売機に設けた釣銭情報送信手段により携帯端末装置に送信することで、自動販売機の商品を購入する際の精算を行う制御装置について開示したものがある（例えば、特許文献１参照）。
【特許文献１】特開２００２−９２７０１号公報
【発明の開示】
【発明が解決しようとする課題】
【０００３】
しかしながら、上記従来の自動販売機では、複数の種類の電子マネーが利用可能で、個別に利用可否を設定できる場合、電子マネー読み書き手段が誤動作などで、オペレーターの意に反した動作設定となった場合に、自動で利用を停止できず、また異常状態が認識しづらいという課題を有していた。
【０００４】
本発明は、上記従来の課題を解決するもので、電子マネー読み書き手段がオペレーターの意に反した動作設定となった場合に自動で電子マネーを受付けないようにして誤動作を防止し、また外見で一目で異常状態を認識できるようにすることを目的としている。
【課題を解決するための手段】
【０００５】
上記従来の課題を解決するために、本発明の自動販売機の制御装置は、各電子マネーの利用可否の設定と、電子マネー読み書き手段の動作設定が異なる場合に、受付可能としないものである。
【０００６】
これによって、電子マネーの誤動作を防止することができる。
【発明の効果】
【０００７】
本発明の自動販売機の制御装置は、各電子マネーの利用可否の設定と、電子マネー読み書き手段の動作設定が異なる場合に、受付可能としないことで、誤動作を防止し、かつ、オペレーターが異常状態を発見しやすくすることができる。
【発明を実施するための最良の形態】
【０００８】
請求項１に記載の発明は、商品を複数の電子マネーを使って購入可能な自動販売機において、電子マネーの利用を個別に実施するかどうかを設定できる電子マネー動作設定手段と、各電子マネーのデータを読み書き可能な電子マネー読み書き手段と、前記電子マネー読み書き手段における各電子マネーの利用可否を検知することができる電子マネー動作検知手段と、前記電子マネー読み書き手段に受付可能データを送信して電子マネーの利用を開始するかどうかを判定する受付可送信判定手段とに接続された演算制御部とからなり、前記演算制御部は、前記電子マネー動作設定手段における電子マネーの個別設定と、前記電子マネー読み書き手段から送信されてくるデータを前記電子マネー動作検知手段にて受信し、前記受付可送信判定手段にてそれらを比較して、その動作設定が異なる場合、受付可を送信せず、電子マネーの利用を不可として誤動作を防止するものであり、電子マネー利用における誤動作を防止した信頼性の高い自動販売機を提供することができる。
【０００９】
請求項２に記載の発明は、請求項１に記載の発明において、デジタルやランプなどの表示を行う表示手段を備え、前記演算制御部は、前記受付可送信判定手段で受付可を送信せず電子マネー利用を不可とした場合に、前記表示手段にてユーザーに異常を知らせるものであり、電子マネー利用者に確実に異常を知らせることができ、トラブルを未然に防止することができる。
【００１０】
請求項３に記載の発明は、請求項１または２に記載の発明において、ブザーや音声を発生させることができる音声発生手段を備え、前記演算制御部は、前記受付可送信判定手段で受付可を送信せず電子マネー利用を不可とした場合に、前記音声発生手段にて音声を発生させて、ユーザーに異常を知らせるものであり、電子マネー利用者にさらに確実に異常を知らせることができ、トラブルを未然に防止することができる。
【００１１】
請求項４に記載の発明は、請求項１から３のいずれか一項に記載の発明において、ユーザーが利用したい電子マネーを選択することができるマネー選択手段と、前記マネー選択手段の動作を停止することができるマネー選択ボタン停止手段とを備え、前記演算制御部は、前記受付可送信判定手段で受付可を送信せず電子マネー利用を不可とした場合に、前記マネー選択ボタン停止手段にて、マネー選択を不可とすることで異常状態をユーザーに知らせるものであり、電子マネー利用者とのトラブルを未然に防止することができる。
【００１２】
請求項５に記載の発明は、請求項１から４のいずれか一項に記載の発明において、待機状態でユーザーが電子マネーでの商品購入のために選択ボタンを押す先選択を停止させることができる先選択停止手段を備え、前記演算制御部は、前記受付可送信判定手段で受付可を送信せず電子マネー利用を不可とした場合に、前記先選択停止手段にて、先選択を停止して異常状態をユーザーに知らせるものであり、電子マネー利用者とのトラブルを未然に防止することができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１による自動販売機の制御装置の機能ブロック図である。図２は、同実施の形態の自動販売機の制御装置の動作を示すフローチャートである。
【００１５】
図１において、電子マネー動作設定手段１は電子マネーの利用を個別に実施するかどうかを設定でき、電子マネー読み書き手段２は各電子マネーの金額データや決済データを読み書き可能であり、電子マネー動作検知手段３は電子マネー読み書き手段２おける各電子マネーの利用可否を検知することができ、受付可送信判定手段４は電子マネー動作設定手段１と電子マネー動作検知手段３の各電子マネーの動作状態を比較して異なる場合に、電子マネー読み書き手段２に対して、読み書き手段受付可データを送信しない。データが同一の場合は読み書き手段受付可データを送信する。表示手段５は受付可送信判定手段４により異常と判断して読み書き手段受付可データを送信しなかった場合に、「利用できません」表示や、故障コードを表示してオペレーターに異常を知らせる。
【００１６】
演算制御部６ａは、電子マネー動作設定手段１における電子マネーの個別設定と、電子マネー読み書き手段２から送信されてくるデータを電子マネー動作検知手段３にて受信しそれらを比較して、その動作設定が異なる場合、受付可送信判定手段４にて判定し、受付可を送信せず、電子マネーの利用を不可として誤動作を防止することができ、また表示手段５により異常を容易に知らせるものである。
【００１７】
以上のように構成された自動販売機の制御装置について、以下その動作を説明する。
【００１８】
電源投入された場合（ＳＴＥＰ１１）、電子マネー動作設定手段１にて設定されたデータを電子マネー読み書き手段２に送信し（ＳＴＥＰ１２）、電子マネー動作検知手段３にて電子マネー読み書き手段２の各電子マネーの利用可否状態を受信し（ＳＴＥＰ１３）、受付可送信判定手段４にて電子マネー動作設定手段１と電子マネー動作検知手段３の各電子マネーの動作状態を比較し（ＳＴＥＰ１４）、同一の場合は読み書き手段受付可を電子マネー読み書き手段２に送信（ＳＴＥＰ１５）する。異なる場合は読み書き手段受付可を電子マネー読み書き手段２に送信せず表示手段５に「利用できません」の文字表示や故障コードなどを表示して異常を知らせる（ＳＴＥＰ１６）。
【００１９】
以上のように本実施の形態の自動販売機の制御装置によれば、各電子マネーの利用可否の設定と、電子マネー読み書き手段の動作設定が異なる場合に、受付可能とせず誤動作を防止し、かつ、オペレーターが異常状態を発見しやすくすることができる。
【００２０】
（実施の形態２）
図３は本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００２１】
図３において、音声発生手段７はブザーや音声を発生させることができ、マネー選択手段８はユーザーが商品を購入する際に利用したい電子マネーを選択することができ、マネー選択ボタン停止手段９はマネー選択手段８の機能を無効化して停止させることができ、先選択停止手段１０は電子マネーでの商品購入のために選択ボタンを押す先選択を無効化して停止させるものである。
【００２２】
演算制御部６ｂは、電子マネー動作設定手段１における電子マネーの個別設定と、電子マネー読み書き手段２から送信されてくるデータを電子マネー動作検知手段３にて受信しそれらを比較して、その動作設定が異なる場合、受付可送信判定手段４にて判定し、受付可を送信せず、電子マネーの利用を不可として誤動作を防止することができ、また表示手段５により異常状態を表示し、音声発生手段７によりブザーなどを鳴らし、マネー選択ボタン停止手段９によりマネー選択ボタン８の機能を無効化し、先選択停止手段１０にて先選択機能を無効化するものである。
【００２３】
以上のように構成された自動販売機の制御装置について、以下その動作を説明する。
【００２４】
電源投入された場合（ＳＴＥＰ２１）、電子マネー動作設定手段１にて設定されたデータを電子マネー読み書き手段２に送信し（ＳＴＥＰ２２）、電子マネー動作検知手段３にて電子マネー読み書き手段２の各電子マネーの利用可否状態を受信し（ＳＴＥＰ２３）、受付可送信判定手段４にて電子マネー動作設定手段１と電子マネー動作検知手段３の各電子マネーの動作状態を比較し（ＳＴＥＰ２４）、同一の場合は読み書き手段受付可を電子マネー読み書き手段２に送信（ＳＴＥＰ２５）する。異なる場合は読み書き手段受付可を電子マネー読み書き手段２に送信せず表示手段５に「利用できません」の文字表示や故障コードなどを表示し（ＳＴＥＰ２６）、音声発生手段７にてブザーなどをならし（ＳＴＥＰ２７）、マネー選択ボタン停止手段９にてマネー選択手段８の機能を無効化し（ＳＴＥＰ２８）、先選択停止手段１０にて電子マネーでの商品購入のための先選択行為を無効化（ＳＴＥＰ２９）する。
【００２５】
以上のように本実施の形態の自動販売機の制御装置によれば、各電子マネーの利用可否の設定と、電子マネー読み書き手段の動作設定が異なる場合に、受付可能とせず誤動作を防止し、かつ、オペレーターが異常状態をさらに発見しやすくすることができる。
【産業上の利用可能性】
【００２６】
以上のように、本発明にかかる自動販売機の制御装置は各電子マネーの利用可否の設定と、電子マネー読み書き手段の動作設定が異なる場合に、受付可能としないことで、誤動作を防止し、かつ、オペレーターが異常状態を発見しやすくすることができるので、携帯情報端末が利用可能なあらゆる自動販売機器全般に適用できる。
【図面の簡単な説明】
【００２７】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【符号の説明】
【００２８】
１    電子マネー動作設定手段
２    電子マネー読み書き手段
３    電子マネー動作検知手段
４    受付可送信判定手段
５    表示手段
６ａ、６ｂ  演算制御部
７    音声発生手段
８    マネー選択手段
９    マネー選択ボタン停止手段
１０  先選択停止手段
【図１】
2010092136.tif 000003
【図２】
2010092136.tif 000004
【図３】
2010092136.tif 000005
【図４】
2010092136.tif 000006